(57)【要約】【課題】  開口部を樹脂カバーで閉鎖した金属ブラケットを使用しながら、電磁ノイズによる悪影響を低減することができる車両用電子機器を提供する。【解決手段】  ＤＶＤプレーヤは、ＤＶＤプレーヤ本体を金属ブラケットで囲繞して構成されている。金属ブラケットを構成する第１の金属ブラケット４には重量軽減のための開口部９が形成され、その開口部９に防塵用の樹脂カバー１１が貼着されている。この樹脂カバー１１の表面に形成された金属薄膜部１２が導電性テープ１４により第１の金属ブラケット４に導通しており、金属蒸着部１２が電磁シールドとして機能するので、ＤＶＤプレーヤ本体から電磁ノイズが放射されるにしても、金属ブラケットに近接して設けられるプリント配線基板に悪影響を与えることを防止できる。又、プリント基板に実装されたコネクタにノイズが伝導し、次にそのコネクタに取りつけられたケーブルにノイズが伝導して、ノイズがＥＣＵ外部に漏洩し、外部機器に対して悪影響を与えるのを防止できる。【選択図】  図１
2005100570.tif 000002
【特許請求の範囲】
【請求項１】
電子機器本体を囲繞すると共に当該電子機器本体に対向する開口部を有した金属ブラケットと、
この金属ブラケットの開口部を閉鎖する樹脂カバーとを備えた車両用電子機器において、
前記樹脂カバーは、
その表面に金属薄膜部が形成されていると共に、
前記金属薄膜部を前記金属ブラケットに導通させる導電手段を備えて構成されていることを特徴とする車両用電子機器。
【請求項２】
前記金属薄膜部は、金属蒸着により形成されていることを特徴とする請求項１記載の車両用電子機器。
【請求項３】
前記導電手段は、導電性テープであることを特徴とする請求項１または２記載の車両用電子機器。
【発明の詳細な説明】
【技術分野】
【０００１】
本発明は、金属ブラケットで囲繞された車両用電子機器に関する。
【背景技術】
【０００２】
例えば車両用ＤＶＤプレーヤでは、軽量化を図るために、ＤＶＤプレーヤ本体を囲繞する金属ブラケットの上面（下面）に比較的大きな開口部を形成すると共に、その開口部をカバーで閉鎖するようにしている。これは、ＤＶＤプレーヤ内に金属ブラケットの開口部から埃、砂塵などが進入することを防ぎ、ＤＶＤの読取り誤作動を防ぐ目的で行われる。通常、このカバーとしては、軽量化のため、薄く且つ軽い樹脂カバーを用いるようにしている。
【特許文献１】特開平９−１５３２７６号公報
【発明の開示】
【発明が解決しようとする課題】
【０００３】
近年、車載製品も電子機器化が進み、電子機器が放射する電磁ノイズに対する要求も高くなってきている。このため、電磁シールドなどを施して、外部に電磁ノイズが漏れないように工夫している。特に、電磁ノイズを放射しやすい電子機器に対しては、強固な電磁シールドを施す必要がある。
ところで、車室内に設置されるナビゲーション用ＥＣＵは、小型化を図る必要があることから、その筐体構造は、ＤＶＤプレーヤの上部にプリント配線基板を近接して配置するようにしている。このため、上述したようにＤＶＤプレーヤを囲繞する金属ブラケットの開口部を樹脂カバーで閉鎖した場合には、電磁ノイズが樹脂カバーを通過してプリント配線基板に到達し、プリント配線基板の電子回路に悪影響を与えることがある。又、プリント基板に実装されたコネクタにノイズが伝導し、次にそのコネクタに取りつけられたケーブルにノイズが伝導して、ノイズがＥＣＵ外部に漏洩し、外部機器に対して影響を与える場合もある。
【０００４】
本発明は上記事情に鑑みてなされたもので、その目的は、開口部を樹脂カバーで閉鎖した金属ブラケットを使用しながら、電磁ノイズによる悪影響を低減することができる車両用電子機器を提供することにある。
【課題を解決するための手段】
【０００５】
請求項１の発明によれば、電子機器本体を囲繞する金属ブラケットには開口部が形成されていると共に、その開口部は樹脂カバーで閉鎖されているので、全体重量の軽減を図りながら防塵対策を施すことができる。
ここで、電子機器本体から電磁ノイズが放射されるにしても、樹脂カバーには金属薄膜部が形成されていると共に、その金属薄膜部は導電手段により金属ブラケットに導通して電磁シールドして機能しているので、電磁ノイズが樹脂カバーを通過してしまうことはない。これにより、金属ブラケットに近接してプリント配線基板が設けられているにしても、電磁ノイズによる悪影響を防止することができる。
【０００６】
請求項２の発明によれば、金属蒸着により大量生産することができるので、金属薄膜部を低コストで実施することができる。
請求項３の発明によれば、導電性テープは低コストであるので、導電手段を低コストで実施することができる。
【発明を実施するための最良の形態】
【０００７】
以下、本発明をナビゲーション用ＥＣＵに搭載されるＤＶＤプレーヤに適用した一実施の形態について図面を参照して説明する。
図２はＤＶＤプレーヤの分解斜視図である。この図２において、ＤＶＤプレーヤ（車両用電子機器に相当）１は、ＤＶＤプレーヤ本体（電子機器本体に相当）２を金属ブラケット３で囲繞して構成されている。
【０００８】
金属ブラケット３は、第１の金属ブラケット４と第２の金属ブラケット５とから構成されており、第２の金属ブラケット５内にＤＶＤプレーヤ本体２を収納した状態で第１の金属ブラケット４を被せ、両方の金属ブラケット４，５の重ね合わせの部分を介してＤＶＤプレーヤ本体２にネジ止めすることにより、ＤＶＤプレーヤ本体２と金属ブラケット３とが一体化されてＤＶＤプレーヤ１が組み立てられている。この場合、第１の金属ブラケット４には窓部７が形成されており、ＤＶＤプレーヤ本体２と金属ブラケット３とが一体化された状態では、その窓部７がＤＶＤプレーヤ本体２のＤＶＤ挿入口８に対向する。
【０００９】
第２の金属ブラケット５の外周には後述するようにナビゲーション用ＥＣＵに固定するための複数の突起部６が形成されている。
第１の金属ブラケット４においてＤＶＤプレーヤ本体２の上面に位置する面には比較的大きな開口部９が形成されていると共に、第２の金属ブラケット５においてＤＶＤプレーヤ本体２の下面に位置する面にも比較的大きな開口部１０が形成されている。これは、金属ブラケット３の重量の軽減を図ることにより、ＤＶＤプレーヤ１全体の重量の軽減を図るためである。これらの開口部９，１０は、ＰＰ（ポリプロピレン）製の樹脂カバー１１で閉鎖されている。これは、樹脂カバー１１の重量が増大してしまうことを防止しながら、開口部９，１０からＤＶＤプレーヤ１内への埃、砂塵などの進入を防止するためである。
【００１０】
ここで、上記樹脂カバー１１の表面にはアルミニウムが真空蒸着されて金属薄膜部１２が形成されている。
図３は、樹脂カバー１１の断面を模式的に示している。この図３において、金属薄膜部１２の表面の大部分には樹脂皮膜１３がコーティングされており、金属薄膜部１２は、樹脂カバー１１と樹脂皮膜１３で挟まれた構造となっている。これは、金属薄膜部１２が樹脂カバー１１から剥がれ落ちて回路ショートの原因とならないようにしているためである。また、金属薄膜部１２の周縁部には樹脂皮膜１３が施されておらず、その周縁部が外部に露出している。
【００１１】
図１は、第１の金属ブラケット４の裏側を示している。この図１において、樹脂カバー１１は、第１の金属ブラケット４の開口部９を裏側から閉鎖するように貼着されている。この場合、樹脂カバー１１は、金属薄膜部１２が開口部９と反対側に位置するように第１の金属ブラケット４に貼着されていると共に、金属薄膜部１２の周縁部には導電性テープ（導電手段に相当）１４が貼着されている。この導電性テープ１４において金属薄膜部１２から外方に突出した部位は第１の金属ブラケット４に貼着されており、これにより、金属薄膜部１２は導電性テープ１４を介して第１の金属ブラケット４と導通している。
【００１２】
同様に、第２の金属ブラケット５の開口部１０も樹脂カバー１１で閉鎖されており、その樹脂カバー１１の表面に形成された金属薄膜部１２が導電性テープ１４により第１の金属ブラケット４に導通している。
以上のように構成されたＤＶＤプレーヤ１はナビゲーション用ＥＣＵの筐体内に収納されている。
【００１３】
図３は、ナビゲーション用ＥＣＵの斜視図である。この図３において、上述したＤＶＤプレーヤ１は、ナビゲーション用ＥＣＵの筐体１５内に図２に示す上下方向が逆となるように防振状態で固定されている。
ＤＶＤプレーヤ１の上面には、当該ＤＶＤプレーヤ１を制御するための電子回路が搭載されたプリント配線基板１６が近接して固定される（図４参照）。
【００１４】
ナビゲーション用ＥＣＵは、筐体１５内にナビゲーション用ＥＣＵを制御するための電子回路が搭載されたプリント配線基板が固定されると共にカバー（何れも図示せず）により閉鎖されて完成されている。このナビゲーション用ＥＣＵは、車両のインストルメントパネルに設置された操作パネルに対する操作に応じてＤＶＤプレーヤ１の動作を制御したり、表示器の表示内容を制御したりする。
【００１５】
さて、ＤＶＤプレーヤ１が動作すると、ＤＶＤプレーヤ１から電磁ノイズが発生して周囲に放射される。
ところで、本実施の形態では、ＤＶＤプレーヤ１の上面に近接してプリント配線基板１６が配置されていることから、ＤＶＤプレーヤ１から放射された電磁ノイズが第１の金属ブラケット４に形成された開口部９を閉鎖する樹脂カバー１１を通過した場合は、プリント配線基板１６に電磁ノイズが到達し、プリント配線基板１６に搭載された電子回路に異常を生じる虞がある。又、プリント基板に実装されたコネクタにノイズが伝導し、次にそのコネクタに取りつけられたケーブルにノイズが伝導して、ノイズがＥＣＵ外部に漏洩し、外部機器に対して影響を与える場合もある。
【００１６】
しかしながら、本実施の形態では、樹脂カバー１１の表面に金属薄膜部１２を形成すると共に、その金属薄膜部１２を導電性テープ１４により金属ブラケット３に導通するようにしたので、金属薄膜部１２は電磁シールドとして機能し、樹脂カバー１１を通過しようとする電磁ノイズを遮断する。これにより、金属ブラケット３の開口部９，１０を閉鎖する手段として軽量な樹脂カバー１１を用いながら、ＤＶＤプレーヤ１から放射された電磁ノイズが樹脂カバー１１を通過してしまうことを防止することができるので、電磁ノイズによるプリント配線基板１６に対する悪影響を防止することができる。
しかも、金属薄膜部１２の重量は極めて小さいので、ＤＶＤプレーヤ１の重量が増加することがないと共に、大量生産により低コストで実施することができる。
【００１７】
（その他の実施の形態）
本発明は、上記実施の形態に限定されることなく、次のように変形または拡張できる。
金属薄膜部１２を樹脂カバー１１全体に施すのに代えて、格子状としてもよい。この場合、ＤＶＤプレーヤ１が発するノイズの波長と格子間隔を考慮して、電磁ノイズが通過しないような格子間隔に設定する必要がある。
【００１８】
金属薄膜部１２を金属蒸着に代えて、金属ペーストを印刷、塗布或いは吹き付けにより形成するようにしてもよい。
本発明をＤＶＤプレーヤに限らず、車両に搭載する各種電子機器に適用するようにしてもよい。
【図面の簡単な説明】
【００１９】
【図１】本発明の一実施の形態における金属ブラケットの裏側を示す図
【図２】ＤＶＤプレーヤの分解斜視図
【図３】金属ブラケットの断面を示す模式図
【図４】組立中のナビゲーション用ＥＣＵの斜視図
【図５】組立中のナビゲーション用ＥＣＵの斜視図
【符号の説明】
【００２０】
１はＤＶＤプレーヤ（車両用電子機器）、２はＤＶＤプレーヤ本体（電子機器本体）、３は金属ブラケット、９，１０は開口部、１１は樹脂カバー、１２は金属薄膜部、１４は導電性テープ（導電手段）である。
【図１】
2005100570.tif 000003
【図２】
2005100570.tif 000004
【図３】
2005100570.tif 000005
【図４】
2005100570.tif 000006
【図５】
2005100570.tif 000007